(57)【要約】【課題】筐体内に配設された紫外線ランプと、該筐体内の紫外線ランプと対向配置される搬送可能なインプラント保持体とを備えたインプラント用紫外線照射装置において、インプラント保持体に保持されたインプラントが紫外線ランプからの照射紫外線の有効照射領域内に確実に位置させて、インプラントの全領域において完全に有機汚染物の除去が行われるようにした構造を提供することである。【解決手段】前記インプラント保持体が、インプラント・スタンドを有し、該インプラント・スタンドは、前記インプラントに着脱自在に取り付けられたインプラントマウントの一端を支持して前記インプラントを水平方向の姿勢で、前記紫外線ランプからの照射紫外線の有効照射領域内に維持するものであることを特徴とする。【選択図】  図１
2016209244.tif 000002
【特許請求の範囲】
【請求項１】
筐体内に配設された紫外線ランプと、該筐体内の紫外線ランプと対向配置される搬送可能なインプラント保持体とからなり、紫外線によりインプラントの有機汚染物除去を行うためのインプラント用紫外線照射装置において、
前記インプラント保持体は、インプラント・スタンドを有し、該インプラント・スタンドは、前記インプラントに着脱自在に取り付けられたインプラントマウントの一端を支持して前記インプラントを水平方向の姿勢で、前記紫外線ランプからの照射紫外線の有効照射領域内に維持するものであることを特徴とするインプラント用紫外線照射装置。
【請求項２】
前記インプラント・スタンドは、前記インプラント保持体に立設されて、上方に開口する二股状の挟持体を有することを特徴とする請求項１に記載のインプラント用紫外線照射装置。
【請求項３】
前記挟持体は、前記インプラントマウントの太さに対応した複数の挟持部を有することを特徴とする請求項２に記載のインプラント用紫外線照射装置。
【発明の詳細な説明】
【技術分野】
【０００１】
この発明は、インプラントに紫外線を照射してその有機汚染物除去を行うインプラント用紫外線照射装置に関するものであり、特に、紫外線ランプを利用してデンタルインプラントの有機汚染物除去を行うインプラント用紫外線照射装置に係わるものである。
【背景技術】
【０００２】
インプラント、特にデンタルインプラントは失われた歯の機能を代用させることを目的として顎骨に埋め込まれるものであり、そのデンタルインプラント手術においては、デンタルインプラントが十分に骨と結合（オッセオインテグレーション）することが肝要である。そのために、例えば、特開２０１２−１５７４１３号公報（特許文献１）には、デンタルインプラントに紫外線を照射することによって、当該デンタルインプラントに付着した有機汚染物を除去する装置が提案されている。
【０００３】
図６、図７に、上記引用文献１に開示された従来のインプラント用紫外線照射装置が示されている。
このインプラント用紫外線照射装置は、開閉扉２を有する筐体１と、該筐体１内に配設された一対の紫外線ランプ３，３とを有し、前記筐体１内には開閉扉２と一体化された引き出し可能なキャリッジ４が配設され、このキャリッジ４上にはインプラント保持体５が載置されている。
そして、このインプラント保持体５は、前記キャリッジ４に着脱自在に載置される載置台６と、この載置台６に着脱自在に載置されるインプラント支持台７とからなる。
【０００４】
前記載置台６には、把手８が設けられており、インプラント支持台７上には処理対象の複数本のインプラント１０、１０が立設されており、前記紫外線ランプ３の長手方向に沿うように直線状にセットされている。このような構成とすることで、前記把手８が設けられた載置台６を不潔域とし、インプラント１０がセットされたインプラント支持台７を清潔域として区分している。
このように、インプラント保持体５を清潔域と不潔域とに分割して、インプラント保持体５の出し入れには、載置台６側（不潔域）を取扱うことで、清潔域にあるインプラント支持台７上のインプラント１０には手が触れることがなく清潔状態が保たれ、照射処理後の再汚染のおそれがない構造とされている。
【０００５】
このインプラント用紫外線照射装置では、インプラント１０がセットされたインプラント保持体５がキャリッジ４上に載置された状態で、開閉扉２が閉じられてキャリッジ４が筐体１内に収容されたとき、インプラント保持体５上に直線状に配設されたインプラント１０は一対の紫外線ランプ３，３間に位置して、これと対向配置されるものである。
インプラント１０は、紫外線ランプ３からの、例えば、１７２ｎｍや、２５４ｎｍの紫外線が所定の時間、照射される。照射処理後は、ファン１１が回転し、筐体１内のガスが循環して、オゾン除去手段１２によってオゾンの除去処理が行われるものである。
【０００６】
ところで、このようなインプラント用紫外線照射装置に用いられる紫外線ランプには一定の照度分布があり、また、筐体内には、紫外線ランプの破損時の破片飛散防止するための保護カバーが設けられている場合もあり、それぞれの装置において、インプラントの有機物除去を効果的に行うために、必要な紫外線照射強度を得ることができる領域、即ち、有効照射領域は、処理室の中でも限られた範囲になる。
一方で、インプラントには様々な形状のものがあり、規格によって統一されていないため、この紫外線照射装置が用いられる使用現場（医療機関）においては、様々な形状・寸法のインプラントを同時的に使用することが日常的に行われている。
【０００７】
このような状況にあっては、図８に示すように、例えば、長さの異なるインプラントをインプラント支持台７上に立設してセットした場合、長いインプラントではその一部（上部）が有効照射領域Ｘからはみ出し、短いものでは、有効照射領域Ｘに届かないものがでてくる。
また、複数本のインプラントを直線状に配列してセットしたとき、両端部に位置するインプラントが有効照射領域Ｘからはみ出す恐れもある。
特に、図６、７に示すような、Ｕ字状の紫外線ランプ３の管軸方向（長手方向）が水平に配置されている装置や、長尺の紫外線ランプの長手方向が水平に配置されている装置においては、有効照射領域Ｘが必然的に水平方向に長く、垂直方向に短い横長の四辺形状になり、その場合、有効照射領域Ｘの垂直方向で調整できる長さ（高さ）方向の余裕が少なく、垂直に支持されたインプラントの長さにうまく適合し難いという問題もある。
【先行技術文献】
【特許文献】
【０００８】
【特許文献１】特開２０１２−１５７４１３号公報
【発明の概要】
【発明が解決しようとする課題】
【０００９】
この発明が解決しようとする課題は、筐体内に配設された紫外線ランプと、該筐体内の紫外線ランプと対向配置される搬送可能なインプラント保持体とからなり、紫外線によりインプラントの有機汚染物除去を行うためのインプラント用紫外線照射装置において、インプラント保持体に保持されたインプラントが紫外線ランプからの照射紫外線の的確に有効照射領域内に位置するようにして、様々な形状のインプラントにおいても完全に有機汚染物の除去が行われるようにした構造を提供することである。
【課題を解決するための手段】
【００１０】
上記課題を解決するために、この発明に係るインプラント用紫外線照射装置は、前記インプラント保持体が、インプラント・スタンドを有し、該インプラント・スタンドは、前記インプラントに着脱自在に取り付けられたインプラントマウントの一端を支持して前記インプラントを水平方向の姿勢で、前記紫外線ランプからの照射紫外線の有効照射領域内に維持するものであることを特徴とする。
また、前記インプラント・スタンドが、前記インプラント保持体に立設されて、上方に開口する二股状の挟持体を有することを特徴とする。
また、前記挟持体が、前記インプラントマウントの太さに対応した複数の挟持部を有することを特徴とする。
【発明の効果】
【００１１】
本発明のインプラント用紫外線照射装置によれば、インプラント・スタンドに水平状態で支持されるインプラントは、紫外線ランプによって形成される有効照射領域内に的確に維持されるので、様々な形状のインプラントに対応することができ、紫外線照射洩れを引き起こすことがないという効果を奏するものである。
また、インプラント・スタンドは上方に開口する二股状の挟持体を有するので、インプラントマウントを単に挟持体に差し込むだけで簡単にインプラントを水平状態に支持できる。
更には、挟持体は複数の挟持部を有するので、太さの異なる種類のインプラントマウントに適合できるという効果もある。
【図面の簡単な説明】
【００１２】
【図１】本発明のインプラント用紫外線照射装置における要部の正面図。
【図２】図１のインプラント・スタンドの正面図。
【図３】インプラント・スタンドの他の実施例の正面図。
【図４】インプラントとインプラントマウントの説明図。
【図５】インプラントの装着説明図。
【図６】従来のインプラント用紫外線照射装置の側断面図。
【図７】図６の横断面図。
【図８】従来例の不具合の説明図。
【発明を実施するための形態】
【００１３】
図１に示されるように、本発明のインプラント用紫外線照射装置では、基本的には紫外線ランプによって有効照射領域Ｘが決定される。
図５に示されるように、紫外線ランプ３が、その長手方向（管軸方向）が水平となるように配置されている装置においては、前記有効照射領域Ｘは、図１に示すように、水平方向に長い横長形状となる。
そして、この実施例では、当該有効照射領域Ｘを目視で確認できるように、載置台６上に載置されたインプラント支持台７の全体長さが有効照射領域Ｘの水平方向の幅Ｘａと等しくされており、また、載置台に設けられた把手８の握り部８ａの全長が、有効照射領域Ｘの垂直方向の幅Ｘｂと等しくされている。
つまり、インプラント保持体５のインプラント支持台７および把手８の握り部８ａによって有効照射領域Ｘの水平方向および垂直方向の範囲を確認できるようにされていて、紫外線照射処理に当たって、インプラント支持台７上に支持されたインプラント１０がこの有効照射領域Ｘ内に存在することを目視により確認できるようにされている。
【００１４】
図１に示されるように、インプラント支持台７上にはインプラント・スタンド１５が基台１７によって固定されている。図２に示されるように、このインプラント・スタンド１５は、上方に開口するように二股状の挟持体１６が設けられている。この二股状の挟持体１６には、幅の異なる複数の、この実施例では２つの、挟持部１６ａ，１６ｂが形成されている。
このインプラント・スタンド１５には、図１に示されるように、インプラント１０が挟持されて水平状態に支持される。
【００１５】
ここで、インプラントの標準的な施術手順を図４、５に基づいて説明すると以下のようである。
図４（Ａ）（Ｂ）に示すように、インプラント１０には、インプラントマウント２０と呼ばれる固定手段が着脱可能に取り付けられる。このインプラントマウント２０は、その表面に刻設された雄ネジを、インプラント１０に形成された雌ネジ内にねじ込んで固定する。
次いで、図５に示すように、インプラントマウント２０が装着されたインプラント１０を、顎骨３０に予め形成された埋入孔内に挿入する（Ａ）。このインプラント１０に取り付けられたインプラントマウント２０に、インプラント１０を回動するための歯科用ハンドピース２１を係合する。歯科用ハンドピース２１によってインプラントマウント２０を回動してインプラント１０を顎骨３０内にねじ込み固定する（Ｂ）。
【００１６】
その後、歯科用ハンドピース２１を取り外し、次いで、インプラントマウント２０を逆回転してインプラント１０から取り外す（Ｃ）。
その後に、クラウン（歯科用補綴物）が装着された歯科用アバットメントをインプラント１０に取り付けるものである。
【００１７】
しかして、本発明のインプラント用紫外線照射装置によって紫外線処理される対象物は、図４に示されたインプラント１０にインプラントマウント２０が取り付けられたものである。図１および図２に示すように、インプラント１０を水平状態として、このインプラントマウント２０を、インプラント・スタンド１５の挟持体１６に、開放された上方から挿入して支持するものである。これによって、図１に示すように、インプラント１０は有効照射領域Ｘ内において紫外線ランプの管軸方向（長手方向）に沿うように水平状態で支持されることになる。
なお、挟持体１６には複数の幅の異なる挟持部１６ａ，１６ｂが形成されているので、太さ（Ｄ１，Ｄ２）の異なるインプラントマウント２０に対応できる。
【００１８】
上記において、インプラント・スタンド１５に支持されるインプラントマウント２０は、挟持される部分を含めて、必ずしも全体が有効照射領域Ｘ内において紫外線照射処理されるわけではないが、前述したように、インプラント１０が骨内に埋め込まれた後に取り外されるので、特に問題となることはなく、骨内に埋め込まれるインプラント１０が、全領域（全長）において有効照射領域Ｘ内に配置されて紫外線処理されることが重要である。
【００１９】
図３（Ａ）（Ｂ）にはインプラント・スタンド１５の挟持体１６の他の実施例が示されていて、この場合、二股状の挟持体１５には上方に向けて漸次広がる挟持部１６ａ，１６ｂが形成されていて、太さの異なる複数のインプラントマウント２０に対応できるようにされている。
【００２０】
なお、上記説明において、インプラント保持体は、開閉扉と一体のキャリッジによって筐体内に搬送する構造の従来例に則して説明したが、インプラント保持体の筐体への搬送はこれに限られず、手動によって直接筐体内に搬入して紫外線ランプに対向配置させる構造であってもよい。その場合、筐体の前面あるいは上面に開閉扉を設け、該開閉扉を開閉してインプラント保持体を搬入・搬出すればよい。また、筐体内にインプラント支持体のための位置決め手段を設けておくことが好ましい。
このような構造は装置が小型の場合などに特に有効である。
【００２１】
以上説明したように、本発明のインプラント用紫外線照射装置においては、インプラント保持体が、インプラント・スタンドを有し、該インプラント・スタンドは、前記インプラントに着脱自在に取り付けられたインプラントマウントの一端を支持して、前記インプラントを紫外線ランプの管軸方向（長手方向）に沿うように水平方向の姿勢で、前記紫外線ランプからの照射紫外線の有効照射領域内に維持するので、インプラントマウントによってインプラント・スタンドに支持されたインプラントは、その全領域が有効に紫外線照射処理される。
また、紫外線ランプに対応して横長に形成される有効照射領域に対して、インプラントが水平状態で支持されるので、当該インプラントを有効照射領域内に位置付けるための調整代にゆとりがあり、インプラントの全領域を的確に有効照射領域内に位置付けることができる。
また、インプラント・スタンドに二股状の挟持体を設けて、インプラントマウントをその開放上部から挿入するという簡単な操作で水平状態に支持することができる。
【符号の説明】
【００２２】
１      筐体
２      開閉扉
３      紫外線ランプ
４      キャリッジ
５      インプラント保持体
６      載置台
７      インプラント支持台
８      把手
８ａ    握り部
１０    インプラント
１５    インプラント・スタンド
１６    挟持体
１６ａ，１６ｂ    挟持部
１７    基台
２０    インプラントマウント
２１    歯科用ハンドピース
３０    顎骨
Ｘ      有効照射領域
Ｘａ    有効照射領域の水平方向の範囲（長さ）
Ｘｂ    有効照射領域の垂直方向の範囲（長さ）
【図１】
2016209244.tif 000003
【図２】
2016209244.tif 000004
【図３】
2016209244.tif 000005
【図４】
2016209244.tif 000006
【図５】
2016209244.tif 000007
【図６】
2016209244.tif 000008
【図７】
2016209244.tif 000009
【図８】
2016209244.tif 000010